【手続補正書】
【提出日】平成16年11月5日(2004.11.5)
【手続補正１】
【補正対象書類名】明細書
【補正対象項目名】特許請求の範囲
【補正方法】変更
【補正の内容】
【特許請求の範囲】
【請求項１】
刷毛部を有する清掃用物品において、
融着接合可能な軟質な基材シートと、融着接合可能な保持シートおよび、少なくとも一部に融着性繊維を含む繊維束を備え、
前記基材シートは、縁部から切り込まれた複数の切込線、および前記切込線と切込線との間に形成された複数の細長い短冊片を有し、
前記基材シートの一方の面に前記繊維束が重ねられ、他方の面に前記保持シートが重ねられて、前記基材シートと前記繊維束および前記保持シートが、前記繊維束の繊維を横切る複数の接合部で融着接合されており、
前記基材シートと前記保持シートとの間に、前記接合部で区分されて保持具が着脱自在に挿入可能な２つの保持空間が形成され、前記短冊片と、前記接合部から外方へ延びる繊維束とで刷毛部が形成されていることを特徴とする清掃用物品。
【請求項２】
融着接合可能な軟質な短冊片シートが設けられ、この短冊片シートは、縁部から切り込まれた複数の切込線、および前記切込線と切込線との間に形成された複数の細長い短冊片を有しており、前記基材シートと前記短冊片シートとで前記繊維束が挟まれて、前記基材シートと前記繊維束および前記短冊片シートが融着接合されている請求項１記載の清掃用物品。
【請求項３】
前記基材シートが平坦な状態のときに、前記短冊片シートが、前記保持シートと逆側の最表面に現れる請求項２記載の清掃用物品。
【請求項４】
前記基材シートが平坦な状態のときに、前記繊維束が、前記保持シートと逆側の最表面に現れる請求項１記載の清掃用物品。
【手続補正２】
【補正対象書類名】明細書
【補正対象項目名】０００７
【補正方法】変更
【補正の内容】
【０００７】
【課題を解決するための手段】
本発明は、刷毛部を有する清掃用物品において、
融着接合可能な軟質な基材シートと、融着接合可能な保持シートおよび、少なくとも一部に融着性繊維を含む繊維束を備え、
前記基材シートは、縁部から切り込まれた複数の切込線、および前記切込線と切込線との間に形成された複数の細長い短冊片を有し、
前記基材シートの一方の面に前記繊維束が重ねられ、他方の面に前記保持シートが重ねられて、前記基材シートと前記繊維束および前記保持シートが、前記繊維束の繊維を横切る複数の接合部で融着接合されており、
前記基材シートと前記保持シートとの間に、前記接合部で区分されて保持具が着脱自在に挿入可能な２つの保持空間が形成され、前記短冊片と、前記接合部から外方へ延びる繊維束とで刷毛部が形成されていることを特徴とするものである。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】変更
【補正の内容】
【００１３】
本発明の清掃用物品は、前記基材シートが平坦な状態のときに、前記短冊片シートが、前記保持シートと逆側の最表面に現れるものとして構成できる。この場合、比較的剛性の高い短冊片が最表面に位置しているため、清掃作業中に繊維束が絡んで固まる現象が生じにくくなり、長時間の使用に耐えるものとなる。
【手続補正８】
【補正対象書類名】明細書
【補正対象項目名】００１４
【補正方法】変更
【補正の内容】
【００１４】
ただし、前記基材シートが平坦な状態のときに、前記繊維束が、前記保持シートと逆側の最表面に現れるものであってもよい。この場合には、細かな凹凸形状に対して繊維束が入り込んで密着性がよくなるので、細かな埃の捕捉能力が向上する。
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】変更
【補正の内容】
【００２０】
また、保持具に装着するための保持空間が形成されているため、保持空間に保持具を装着することで、使用者の手や衣服が汚れることが防止される。ただし前記保持空間を手で保持してもよい。
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】削除
【補正の内容】
【手続補正１３】
【補正対象書類名】明細書
【補正対象項目名】００２３
【補正方法】削除
【補正の内容】
【手続補正１４】
【補正対象書類名】明細書
【補正対象項目名】００２４
【補正方法】削除
【補正の内容】
【手続補正１５】
【補正対象書類名】明細書
【補正対象項目名】００２５
【補正方法】削除
【補正の内容】
【手続補正１６】
【補正対象書類名】明細書
【補正対象項目名】００２６
【補正方法】削除
【補正の内容】
【手続補正１７】
【補正対象書類名】明細書
【補正対象項目名】００２７
【補正方法】削除
【補正の内容】
【手続補正１８】
【補正対象書類名】明細書
【補正対象項目名】００２８
【補正方法】削除
【補正の内容】
【手続補正１９】
【補正対象書類名】明細書
【補正対象項目名】００２９
【補正方法】削除
【補正の内容】
【手続補正２０】
【補正対象書類名】明細書
【補正対象項目名】００８８
【補正方法】変更
【補正の内容】
【００８８】
図７は参考例となる清掃用物品３０を示す部分斜視図、図８はその断面図である。
【手続補正２１】
【補正対象書類名】明細書
【補正対象項目名】００９７
【補正方法】変更
【補正の内容】
【００９７】
図９はさらに他の参考例である清掃用物品５０を示す斜視図である。
この清掃用物品５０は、シート５１の両側部に複数の切込線が入れられて複数の短冊片５１ａが形成され、シート５２の両側部にも同様にして複数の短冊片５２ａが形成されている。シート５１の下側には繊維束５３が重ねられ、シート５２の上側には繊維束５４が重ねられて、シート５１、シート５２、繊維束５３、繊維束５４が、平行に延びる接合線５５と５６とで一体に融着接合されている。
【手続補正２２】
【補正対象書類名】明細書
【補正対象項目名】０１０２
【補正方法】変更
【補正の内容】
【０１０２】
そして、図７と図９の参考例において、短冊片の長手方向の途中部分で、この短冊片と繊維束とが部分的に接合されているものであってもよい。
【手続補正２３】
【補正対象書類名】明細書
【補正対象項目名】図１
【補正方法】変更
【補正の内容】
【図１】
本発明の清掃用物品の実施の形態を示す斜視図、
【手続補正２４】
【補正対象書類名】明細書
【補正対象項目名】図６
【補正方法】変更
【補正の内容】
【図６】
清掃用物品の変形例を示す斜視図、
【手続補正２５】
【補正対象書類名】明細書
【補正対象項目名】図７
【補正方法】変更
【補正の内容】
【図７】
参考例の清掃用物品を示す斜視図、
【手続補正２６】
【補正対象書類名】明細書
【補正対象項目名】図９
【補正方法】変更
【補正の内容】
【図９】
さらに他の参考例の清掃用物品を示す斜視図、